(57)【要約】【課題】  表面外周側に水滴が残存することを抑制できる浴室床を提供すること。【解決手段】  第１の領域１３と、この第１の領域１３の表面外周側の少なくとも一部に連なって位置する第２の領域１４と、第１の領域１３に設けられた排水口１５とを備えて浴室床１０が構成されている。第１の領域１３は、表面に形成されて平面視長方形に近似した形状をなす多数の凸部１７と、隣接する凸部１７相互間にそれぞれ形成されて排水口１５まで連通する溝１８とを含んで構成されている。第２の領域１４は、凸部１７の上面と略同一面上に位置する連続面１４Ａにより形成され、第２の領域１４上の湯水が第１の領域１３に向かってスムースに流れ込むこととなる。【選択図】      図３
2006249876.tif 000002
【特許請求の範囲】
【請求項１】
表面に形成された複数の凸部と、隣接する凸部相互間に形成されて所定の排水口まで連通する溝とを含む第１の領域と、この第１の領域の表面外周側の少なくとも一部に連なって位置する第２の領域とを備えた浴室床において、
前記第２の領域に、当該領域の湯水を第１の領域側に向かわせる排水促進手段を設けたことを特徴とする浴室床。
【請求項２】
前記排水促進手段は、前記凸部の上面と略同一面上に位置する連続面を含んでいることを特徴とする請求項１記載の浴室床。
【請求項３】
前記排水促進手段は、第２の領域の勾配を第１の領域の勾配より大きく設定することにより構成されていることを特徴とする請求項１記載の浴室床。
【請求項４】
前記排水促進手段は、第１の領域に連通する複数の排水路を含み、当該排水路の深さは、前記溝の深さより小さく設定されていることを特徴とする請求項１，２又は３記載の浴室床。
【請求項５】
前記排水路は、第２の領域における第１の領域との境界隣接位置に部分的に形成されていることを特徴とする請求項４記載の浴室床。
【発明の詳細な説明】
【技術分野】
【０００１】
本発明は、浴室床に係り、更に詳しくは、表面外周寄りの領域における水滴や水膜の残存を防止することのできる浴室床に関する。
【背景技術】
【０００２】
従来より、浴室床においては、多数の凸部と、これら凸部間に形成された溝とを表面に備えたタイプのものが広く利用されている。このタイプの浴室床は、凸部の面積を比較的小さく設定することにより、各凸部により水滴を分断して溝内に流し込み、表面上に大きい水滴の残存を防止して排水性や乾燥性を発揮するようになっている。ところで、かかる浴室床の表面における外周側領域、すなわち、壁や出入り口に沿う領域としては、図１１及び図１２に示されるような形態が採用される。すなわち、同図の浴室床５０において、凸部５１及び溝５２が形成された第１の領域Ａ１の同図中右側には、壁又は出入り口５４に沿って位置する第２の領域Ａ２が形成され、この第２の領域Ａ２は、略平坦な面すなわち凸部や溝を省略した形状となっている。
【発明の開示】
【発明が解決しようとする課題】
【０００３】
しかしながら、前記浴室床５０にあっては、第２の領域Ａ２上に水滴Ｗ（図１２参照）が生じると、当該水滴Ｗが第１の領域Ａ１側に流れ込み難くなって残存するという不都合がある。これは、溝５１の底部と前記第２の領域Ａ２とが略同一面上に位置するので、第１の領域Ａ１側に水滴Ｗが流れるために凸部５１を乗り越える必要がある他、第２の領域Ａ２に凸部がないために水滴Ｗが小さく分断され難いことに起因する。この結果、浴室床５０全体の排水性が損なわれて水滴Ｗの乾燥に長時間要することとなり、入浴した日の翌朝等において、第２の領域Ａ２すなわち壁又は出入り口５４付近に残存した水滴Ｗにより浴室への入室時に足が濡れてしまうという不都合を招来する。
【０００４】
［発明の目的］
本発明は、このような不都合に着目して案出されたものであり、その目的は、表面外周側に水滴が残存することを抑制することができる浴室床を提供することにある。
【課題を解決するための手段】
【０００５】
前記目的を達成するため、本発明は、表面に形成された複数の凸部と、隣接する凸部相互間に形成されて所定の排水口まで連通する溝とを含む第１の領域と、この第１の領域の表面外周側の少なくとも一部に連なって位置する第２の領域とを備えた浴室床において、
前記第２の領域に、当該領域の湯水を第１の領域側に向かわせる排水促進手段を設ける、という構成を採っている。
【０００６】
本発明において、前記排水促進手段は、前記凸部の上面と略同一面上に位置する連続面を含むとよい。
【０００７】
また、前記排水促進手段は、第２の領域の勾配を第１の領域の勾配より大きく設定することにより構成されることが好ましい。
【０００８】
また、前記排水促進手段は、第１の領域に連通する複数の排水路を含み、当該排水路の深さは、前記溝の深さより小さく設定される、という構成も好ましくは採用される。
【０００９】
また、前記排水路は、第２の領域における第１の領域との境界隣接位置に部分的に形成される、という構成を採用することができる。
【発明の効果】
【００１０】
本発明によれば、第２の領域上の湯水がスムースに第１の領域に流れ込み、入浴した日の翌朝等において第２の領域に大きな水滴や水膜を残存し難くすることができる。これにより、浴室床全体の乾燥性や排水性を向上させることができ、特に、第２の領域が浴室の出入り口に隣接する場合、浴室の入退室時に足裏が濡れることを防止することが可能となる。
【００１１】
また、凸部上面と略同一面上に位置する連続面や、第２の領域の勾配を大きく設定することで排水促進手段を形成したので、簡単な構造により、第２の領域から第１の領域に向かって湯水を流れ易くすることが可能となる。
【００１２】
更に、排水路を設けることで排水促進手段を形成した場合、排水路の形成縁により第２の領域上の水滴を分断して当該排水路及び溝に湯水が流れ込み易くすることが可能となる。しかも、排水路は溝よりも深さが小さく設定したので、後述するように、表面に加飾シートを用いた樹脂成形品により浴室床を形成した場合、当該成形型と加飾シートとの間に、成形用の樹脂材料が入り込むことを抑制することができる。特に、第１の領域との境界隣接位置に部分的に排水路を形成した場合、第２の領域における第１の領域と反対側領域に排水路の非形成領域を設けられ、当該非形成領域に加飾シートの端部が位置するように設定することで、前記樹脂材料の入り込みをより良く回避することが可能となる。
【発明を実施するための最良の形態】
【００１３】
以下、本発明の好ましい実施の形態について図面を参照しながら説明する。
【００１４】
［第１実施形態］
図１には、第１実施形態に係る浴室床が適用されたシステムバスの床面部分の概略平面図が示されている。この図において、浴室床１０は、システムバスを形成する壁体Ｗに囲まれた領域内に設置され、当該壁体Ｗの図１中右下側には開閉可能なドアＤが設けられている。浴室床１０は、特に限定されるものではないが、主として、ＳＭＣ等のＦＲＰ（繊維強化プラスチック）によって形成され、浴槽１１の右側に位置する第１の領域１３（同図中網点で示す領域）と、この第１の領域１３の表面における同図中上下両端側と右端側に連なって位置する第２の領域１４（同図中ハッチングで示す領域）と、第１の領域１３の同図中左側中央部に設けられた排水口１５とを備えて構成されている。
なお、図１中の網点及びハッチングは、説明の便宜上、第１及び第２の領域１３，１４を特定するために付したものであり、そのような柄や模様が実際の浴室床１０に付されるものでない。
【００１５】
前記第１の領域１３は、図２及び図３に示されるように、表面に形成されて平面視長方形に近似した形状をなす多数の凸部１７と、隣接する凸部１７相互間にそれぞれ形成されて前記排水口１５まで連通する溝１８とを含んで構成されている。第１の領域１３は水勾配を備えており、当該水勾配は、排水口１５へ向かって下降する傾斜状に形成されている。凸部１７は、長手方向が同じ向きとなるものを四つ一組として平面視したときに、略正方形となるように形成され、当該正方形を略四等分する位置に形成された溝１８が緩やかなＳ字状に設けられている一方、その他の溝１８は直線状に設けられている。なお、凸部１７は、平面積が６〜２２０ｍｍ２の範囲内に設定されている。一方、溝１８は、その延出方向と直交する方向の断面形状が略凹状とされるとともに、幅が０．５〜３ｍｍ、深さが０．３〜１．５ｍｍに設定され、隣接する凸部１７上の湯水を溝１８内に誘引する力を発揮するようになっている。
【００１６】
前記第２の領域１４は、図１に示されるように、前記壁体Ｗ又はドアＤと、第１の領域１３との間に位置する所定幅の領域からなる。第２の領域１４は、図３に示されるように、前記凸部１７の上面と略同一面上に位置する排水促進部としての連続面１４Ａにより形成されている。換言すれば、第２の領域１４は、前記凸部１７や溝１８を省略した表面形状に設けられるとともに、隣接する凸部１７との間に段差が生じないように形成され、且つ、第１の領域１３と略同一の水勾配を備えている。また、特に限定されるものでないが、第２の領域１４の上面に梨地処理を施し、いわゆる親水性を発揮するように形成してもよい。なお、第２の領域１４の図３中右側には、前記壁体Ｗ又はドアＤの室内側面に沿って位置する起立部２０が連設される。
【００１７】
ここで、図３に示されるように、第１及び第２の領域１３，１４の上面側には、加飾シート２１が設けられている。この加飾シート２１は、第１の領域１３の略全領域と、当該第１の領域１３に沿って位置する第２の領域１４の一部を覆うように配置されている。具体的には、第２の領域１４に重なる加飾シート２１の幅Ｗ１が、当該第２の領域１４の幅Ｗ２の約１／２程度となるように設定されている。
【００１８】
以上の構成において、浴室床１０の表面に大量の湯水を流すと、当該湯水の大部分は、凸部１７上及び溝１８を通って排水口１５に流れ込む。そして、湯水の一部は、凸部１７上に残存して安定的に存在しようとし、その表面積を減らす方向に移動する。このとき、湯水が凸部１７の形成縁によって分断されつつ、凸部１７に隣接する溝１８内に誘引される。このとき、第１及び第２の領域１３，１４間に段差等がないので、第２の領域１４上の湯水に、排水口１５側に向かう水勾配の作用だけでなく、溝１８による誘引力も作用し易くなり、第１の領域１３に向かってスムースに流れ込む。
【００１９】
従って、このような第１実施形態によれば、第２の領域１４から第１の領域に向かって流れる湯水が寸断され難くなり、壁体ＷやドアＤに沿う第２の領域１４の乾燥性及び排水性を改善することができる。これにより、第２の領域１４の汚れの堆積を回避できる他、浴室への入室時にドアＤ付近で、不用意に足裏が濡れて不快となることを防止することが可能となる。
【００２０】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００２１】
［第２実施形態］
図４には、本発明の浴室床に係る第２実施形態が示されている。この第２実施形態は、第２の領域１４の水勾配を第１の領域１３の水勾配より相対的に大きく設定することで排水促進部を構成したものである。これによれば、第２の領域１４上の湯水は、第１の実施形態よりも、より良好に第１の領域１３に向かってスムースに流れ込むこととなる。
【００２２】
［第３実施形態］
図５には、本発明の浴室床に係る第３実施形態が示されている。この第３実施形態は、第２実施形態と同様に、第１及び第２の領域１３，１４の水勾配が設定されている一方、第２の領域１４の図５中左端部と、第１の領域１３の同図中右端部の溝１８の底部とを略同一高さに設けたものである。これによっても、第２の領域１４の水勾配の作用によって当該第２の領域１４の乾燥性及び排水性を向上させることが可能となる。
【００２３】
［第４実施形態］
図６ないし図８には、本発明の浴室床に係る第４実施形態が示されている。この第４実施形態は、第２の領域１４における第１の領域１３の境界近傍位置すなわち図６中左端に沿う領域に部分的に複数の排水路２４を設けたものである。各排水路２４は、第１の領域１３の外周部に沿って（図６中上下方向に沿って）所定間隔毎に多数設けられている。各排水路２４は、一端側（図６中左端側）で第１の領域１３にそれぞれ連通するとともに、その延出長さが前記幅Ｗ１の約１／２程度となるように設定されている。また、図８に示されるように、排水路２４の同図中左端部における底部と、第１の領域１３の同図中右端部の溝１８の底部とは、略同一高さに設けられている。一方、排水路２４の深さは、３ｍｍ以下程度で、且つ、溝１８の深さより小さく設定され、排水路２４の幅も溝１８の幅より小さく設定されている。なお、第２の領域１４は、第２実施形態と同様に、第１の領域１３の水勾配より相対的に大きい水勾配を備え、この水勾配と各排水路２４とにより排水促進部が構成される。
【００２４】
本実施形態の浴室床１０を成形する場合、図９に示されるように、浴室床１０の表面の凹凸形状が反転したキャビティ面Ｆを有する成形型Ｐが用いられ、先ず、キャビティ面Ｆに所定の離型処理を行った後、当該キャビティ面Ｆに加飾シート２１を載置する。その後、加飾シート２１の上方から所定の樹脂材料Ｍを載せて圧力を付与することにより、凸部１７や溝１８、排水路２４を有する浴室床１０が成形される。
【００２５】
ここで、排水路２４が溝１８より小さい深さに設定されるので、第１の領域１３を形成するキャビティ面Ｆ１と、第２の領域１４をキャビティ面Ｆ２との段差が極力小さくなり、前記樹脂材料Ｍが加飾シート２１の端部からキャビティ面Ｆ２との間に入り込むことを防止可能となる。また、排水路２４が加飾シート２１の端部側に形成されていないので、当該端部側領域とキャビティ面Ｆ２と接触面積を広くすることができ、これによっても、加飾シート２１の端部における樹脂材料Ｍの入り込みをより良く回避することができる。
【００２６】
従って、このような第４実施形態によれば、浴室床１０に湯水をかけた場合、第２の領域１４上に残存しようとする湯水が各排水路２４により分断され、当該排水路２４内に誘引されて第１の領域１３に向かって流れ込むこととなり、第２の領域１４上に大きな水滴が残存することを抑制することが可能となる。
【００２７】
［第５実施形態］
図１０には、本発明の浴室床に係る第５実施形態が示されている。この第５実施形態は、第４実施形態に対し、排水路２４の形成位置及び形成領域を変えたものである。すなわち、本実施形態の排水路２４は、第２の領域１４の略全領域に格子状に形成されて第１の領域１３に連通するようになっている。これによっても、第４実施形態と同様に、第２の領域１４上の湯水を排水路２４によって分断しつつ排水を行うことが可能となる。
【実施例】
【００２８】
以下に、本発明の実施例を比較例と共に説明する。
【００２９】
［実施例１］
ここでは、第１及び第２の領域１３，１４をそれぞれ表面に形成したサンプル板を用いた。このサンプル板の平面サイズは、図２中長さＬ１を３００ｍｍ、長さＬ２を１５０ｍｍとし、第２の領域１４の幅Ｗ２を３０ｍｍとした。第１及び第２の領域１３，１４の構成は、第１実施形態と同様とし、凸部１７の平面サイズを約３２ｍｍ×約８ｍｍ、溝１８の深さを０．８ｍｍ、溝１８の幅を２ｍｍに設定し、各領域１３，１４の水勾配を１／５０に設定した。第２の領域１４の上面は、最大高さＲｙ約２．４８μｍ、算術平均粗さＲａ約０．１２μｍ（それぞれ触針粗さ計：タリサーフＳ４Ｃ  Ｔａｙｌｏｒ  Ｈｏｂｓｏｎを用いて測定。以下同様とする）に設定し、略鏡面仕上げとした。
【００３０】
［実施例２］
実施例１に対し、第２の領域１４の水勾配を変えるとともに、各領域１３，１４の境界部において、溝１８の底部と第２の領域１４の上面の各高さを略同一とした。すなわち、第３実施形態（図５参照）と同様に構成し、第２の領域１４の水勾配を１／３０として第１の領域１３より大きく設定した。
【００３１】
［実施例３］
実施例１に対し、第２の領域１４の水勾配を変えた。すなわち、第２実施形態（図４参照）と同様に構成し、第２の領域１４の水勾配を１／３０として第１の領域１３より大きく設定した。
【００３２】
［実施例４］
実施例３に対し、複数の排水路２４を設け、第２の領域１４の上面に最大高さＲｙ約２０μｍ、算術平均粗さＲａ約３．５μｍとなる梨地処理を施した。すなわち、第４実施形態（図６〜図８参照）と同様に構成し、第２の領域１４における第１の領域１３の境界近傍位置沿う領域に部分的に複数の排水路２４を設け、各領域１３，１４の境界位置において、溝１８の底部と排水路２４の底部の各高さを略同一とした。また、隣接する排水路２４間の間隔を２ｍｍとした。
【００３３】
［実施例５］
実施例４に対し、排水路２４の形成位置及び形成領域を変えた。すなわち、第５実施形態（図１０参照）と同様に平面視格子状に排水路２４を形成し、当該排水路２４に囲まれる領域を１ｍｍ×１ｍｍの正方形状とした。
【００３４】
［比較例１］
実施例１に対し、第２の領域１４の高さ位置を変えた。すなわち、各領域１３，１４の境界位置において、溝１８の底部と第２の領域１４の上面の各高さを略同一とした。
【００３５】
以上のように得られた各サンプル板に対して、排水性を確認するための実験を行った。
【００３６】
排水性に関し、第２の領域１４を上側として水勾配を設定し、サンプル板の上面全領域にシャワーにて１リットルの水を２回散水し、当該散水後、２分間経過した時点での残存水の状況を目視にて確認する実験を２０回実施した。その結果を表１に示す。
【００３７】
【表１】
2006249876.tif 000003
【００３８】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、位置若しくは方向、その他の詳細な構成において、当業者が様々な変形を加えることができるものである。
【００３９】
例えば、第２の領域１４の形成領域は、図１のような位置に限られるものでなく、第１の領域１３の同図中上端側及び又は下端側を省略したりする等、第１の領域１３の表面外周側の少なくとも一部に設ける限りにおいて種々の変更が可能である。
また、第４及び第５実施形態において、第２の領域１４の水勾配と第１の領域１３の水勾配とを略同一としたり、第１及び第２の領域１３，１４の境界位置において、各領域１３，１４の上面高さ位置を略同一としたりしても、前述と同様の排水性が得られることが期待される。
更に、排水路２４の形状は、第２の領域１４上の湯水を分断する作用を奏する限りにおいて、種々の設計変更が可能である。
【図面の簡単な説明】
【００４０】
【図１】第１実施形態に浴室床が適用されたシステムバスの概略平面図。
【図２】図１のＡ部拡大平面図。
【図３】図２のＢ−Ｂ線に沿う拡大断面図。
【図４】第２実施形態に係る浴室床の図３と同様の断面図。
【図５】第３実施形態に係る浴室床の図３と同様の断面図。
【図６】第４実施形態に係る浴室床の図２と同様の平面図。
【図７】第４実施形態に係る浴室床の図３と同様の断面図。
【図８】図７の要部拡大図。
【図９】第４実施形態に係る浴室床の成形方法を示す説明図。
【図１０】第５実施形態に係る浴室床の図２と同様の平面図。
【図１１】従来例に係る浴室床の図２と同様の平面図。
【図１２】従来例に係る浴室床の図３と同様の断面図。
【符号の説明】
【００４１】
１０・・・浴室床、１３・・・第１の領域、１４・・・第２の領域、１４Ａ・・・連続面、１５・・・排水口、１７・・・凸部、１８・・・溝、２４・・・排水路
【図１】
2006249876.tif 000004
【図２】
2006249876.tif 000005
【図３】
2006249876.tif 000006
【図４】
2006249876.tif 000007
【図５】
2006249876.tif 000008
【図６】
2006249876.tif 000009
【図７】
2006249876.tif 000010
【図８】
2006249876.tif 000011
【図９】
2006249876.tif 000012
【図１０】
2006249876.tif 000013
【図１１】
2006249876.tif 000014
【図１２】
2006249876.tif 000015